(57)【要約】【課題】鮎の友釣りで、イカリ針が道糸に引っ掛かったり、おとり鮎本体に刺さったりするトラブルは頻繁に起きる。それを解決するには、イカリ針を摘まんで、引っ掛かったり、刺さったりした部分から外す必要があるが、摘まむ場所はイカリ針を構成する鈎針にしかないため、摘み難く、摘まんで思う方向に引いたり、押したりすることが難しい。また、作業中に鋭利な針に指を刺される事故も起き易い。【解決手段】イカリ針の針の向きと反対方向に、剛性ある突起部を付ける。その突起部は剛性があるため、摘まみ易く、摘まんで、イカリ針を思う方向に引いたり、押したりでき、容易にトラブルを解決できる。また、どの方向に引っ張られても、鈎針を直接摘まんでないため、イカリ針が指に刺さる可能性は著しく小さくなる。【選択図】図５
2018088886.tif 000002
【特許請求の範囲】
【請求項１】
イカリ針において、複数の鈎針の中心部にイカリ針の針の向きと反対方向に、指で摘まむのに十分な長さで、剛性のある突起部を設けることを特徴としたイカリ針。
【請求項２】
請求項１の突起部が該突起部の先端からイカリ針の針の方向に貫通した孔を有することを特徴としたイカリ針。
【発明の詳細な説明】
【技術分野】
【０００１】
本発明は、鮎の友釣りに使われるイカリ針に関する。
【背景技術】
【０００２】
鮎の友釣りとは、鮎の縄張り本能を利用した釣りである。その仕掛けを図１で説明する。竿の先端に結び付けられた道糸１には、鼻環２なる輪が結び付けられ、おとり鮎３の鼻孔４にその鼻環を通し、おとり鮎３を道糸１に繋ぎます。道糸はさらに伸び、先端には逆針６が結び付けられている。この逆針には、イカリ針８に結ばれたハリス７が適当な長さで繋がれる。逆針６はおとり鮎の尻ビレ５に刺されているので、イカリ針は、川の流れ、おとり鮎の動きの中で、尻ビレの後ろで、水中を舞う。縄張りに入ったおとり鮎に攻撃をしかけた野鮎は、このイカリ針に触れ、引っ掛けられる。
【０００３】
図２で、イカリ針の構造を説明する。複数の鈎針９を放射状になるように配置する。また、その複数の鈎針の中心部分にハリス7の一端を配置する。複数の鈎針の根本部分（針と反対の端）とハリスを一緒に束ね、根巻き糸１０で巻いて締め、接着材を流しこんで、鈎針同士、ハリスを固着する。鈎針を放射状に配置してある理由は、野鮎がどの方向から攻撃してきても、引っ掛かる可能性が高いようにするためである。また、ハリスが放射状に配置された鈎針の中心部分で固着されているのは、イカリ針が川の流れの中でバランスよく舞うようにするためである。
【発明の概要】
【発明が解決しようとする課題】
【０００４】
おとり鮎は、川の水流と反対方向を向いて、大人しく泳いでいるだけではない。川の中には、岩などもあり、水流は乱れ、その中でおとり鮎は錐揉み状態になることもあるし、釣り人がおとり鮎の泳ぐ向きと逆の方向に引っ張ることもある。そのため、イカリ針は、図３のように、道糸１に引っ掛かったり、図４のように、おとり鮎３本体に刺さるトラブルは頻繁に起きる。そのような状態になったおとり鮎のイカリ針には、攻撃してきた野鮎はほとんど掛かることはない。
【０００５】
これらのトラブルを解決するためには、引っ掛かったイカリ針を指で摘まんで、引っ掛かった部分からはずす必要があるが、従来のイカリ針には、特に摘まむ部分がない。よい方法がないので、引っ掛かった鈎針以外の鈎針(図３では針３１、図４では針４１となる。）を摘まむが、摘み難いので、思う方向に押したり引いたりすることが難しい。おとり鮎は水流、空中で、暴れるので、摘まんだ鈎針はどの方向に引っ張られるかわからない。この鈎針は、攻撃してきた野鮎がちょっと触れただけで、引っ掛かるように、極めて鋭利な針であるので、摘まんだ指にささる事故は頻発に起きる。
【０００６】
図２で説明したように、ハリスと複数の鈎針の根本部分（針先と反対の部分）を束ねて、根巻き糸で巻いて締め、接着剤を流し込んで、ハリスをイカリ針に固着させている。そのため、鮎がかかった時やイカリ針が岩に引っ掛かった時など、強い力でイカリ針が引っ張られると、ハリスがイカリ針からすっぽ抜けるトラブルは時々起こる。
【課題を解決するための手段】
【０００７】
図５のように、放射状に組み付けた複数の鈎針の中心部分に、指で摘まむのに十分な長さで、剛性のある突起部１１を、イカリ針の針が向く反対方向に設け、この部分を摘まむようにした。
【０００８】
突起部をイカリ針と一体化するためには、放射状に配置された鈎針の根本部分（針先と反対の部分）の中心に突起部を伸ばし、突起部の部材と鈎針をロウ付けや根巻き糸などで固着するが、そうすると、ハリスをイカリ針の中心に繋ぐことができなくなり、イカリ針のバランスある動きに問題がおきる。そのため、図５のように剛性ある突起部１１の中心部分に、その先端からイカリ針の針が向いた方向に貫通穴１２を設け、ここにハリスを通し、接着剤で固着する。
【０００９】
ハリスがイカリ針からすっぽ抜ける問題は、細い貫通穴にハリスを通し、接着するだけでは、不安があるので、図６のように、結び拳などの塊１３を作ったハリスを、突起部の先端部から挿入する。その結び拳などの塊がストッハ゜ーとなり、すっぽ抜けの問題はなくなる。
【発明の効果】
【００１０】
剛性ある突起部なので、それを摘まむことによって、イカリ針を思うような方向に引いたり押したりでき、引っ掛かったイカリ針を簡単に外すことができる。また、急激に強い力で引っ張られても、摘まんだ指からすり抜けるだけで、指を針で刺す危険はほとんどなくなる。
【００１１】
突起部の中心の孔にハリスを通すので、放射状の鈎針の中心にハリスがあり、イカリ針はおとり鮎の後ろでバランスよく、舞うようになる。
【００１２】
イカリ針が強い力で引っ張られても、ハリスの結び拳などの塊がストッパーとなって、ハリスがイカリ針からすっぽ抜けるトラブルはなくなる。
【図面の簡単な説明】
【００１３】
【図１】鮎の友釣りの仕掛け
【図２】従来のイカリ針の構造
【図３】イカリ針が道糸に引っ掛かった場合の図
【図４】イカリ針がおとり鮎に刺さった場合の図
【図５】剛性ある突起部を設けた新イカリ針の構造
【図６】結び拳などの塊を作ったハリスを新イカリ針の中心孔に挿入した説明図
【産業上の利用可能性】
【００１４】
鮎の友釣りの引っ掛け針は、イカリ針を含め、種々開発されきたが、いずれもおとり鮎に攻撃してきた野鮎をいかに効率的に引っ掛けるかに焦点が当てられ、使い勝手の面に重きを置かれなかった。
【００１５】
本発明を適用すると、突起部の重量増と水流抵抗増と製造コスト増が考えられるが、重量増は突起部の部材の選定（アルミなど）と構造（空洞のパイプなど）の工夫で小さくできる。水流抵抗については、突起部は水流方向と平行に向くので、イカリ針の水流の中での動きにはほとんど影響がないと考える。製造コストについては、突起部に極細のアルミパイプなどを使えば、材料費、組み立て費用は抑えることが可能である。
【００１６】
鮎の友釣りの競技会では、順位は時間内の釣果（数）で決まることが多いが、トラブル（イカリ針が道糸に引っ掛かったり、おとり鮎に刺さることなど）からの早い回復も釣果増となる。また、指にイカリ針が刺さるリスクも著しく減る。
【符号の説明】
【００１７】
１  道糸（竿先、おとり鮎、仕掛けを結び付ける糸。）
２  鼻環（道糸に繋がれ、おとり鮎の鼻孔に挿入貫通して、おとり鮎を道糸に繋ぐ。）
３  おとり鮎
４  鮎の鼻孔
５  鮎の尻ビレ
６  逆針（道糸の先端に繋がれ、おとり鮎の尻ビレに刺される。）
７  ハリス（イカリ針と一体化した糸で、逆針にクリップされ、繋がれる。）
８  イカリ針
９  鈎針（複数でイカリ針を構成する。）
１０  根巻き糸（複数の鈎針を束ねて巻いて、締め固着する。）
１１  突起部
１２  突起部の中央の貫通した孔
１３  ハリスに作られた結び拳などの塊
３１  イカリ針が道糸に引っ掛かった場合、それを外すために摘まむ鈎針。
４１  イカリ針がおとり鮎本体に刺さった場合、それを外すために摘まむ鈎針。
【図１】
2018088886.tif 000003
【図２】
2018088886.tif 000004
【図３】
2018088886.tif 000005
【図４】
2018088886.tif 000006
【図５】
2018088886.tif 000007
【図６】
2018088886.tif 000008